(57)【特許請求の範囲】
【請求項１】
複数のユーザからアクセスされるファイルを管理するファイル管理装置において、
フォルダあるいはファイルに対する処理要求があるときに、ユーザ情報を入手してアクセス権のチェックを行ってから、該処理要求のためのインタフェース処理を実行する第１のインタフェース手段と、
フォルダあるいはファイルに対する処理要求があるときに、ユーザ情報を入手することなく、該処理要求のためのインタフェース処理を実行する第２のインタフェース手段と、
画面操作のためのタグ付き言語で記述されて、上記処理要求に必要となる情報の表示に用いられる表示制御ファイルを処理対象として、上記処理要求先に対してアクセス制限が設定されるときに、上記第１のインタフェース手段を呼び出すことになるようにと該表示制御ファイルを書き替えるとともに、該アクセス制限の設定が解除されるときに、上記第２のインタフェース手段を呼び出すことになるようにと該表示制御ファイルを書き替える書替手段とを備えることを、
特徴とするファイル管理装置。
【請求項２】
複数のユーザからアクセスされるファイルを管理するファイル管理装置の実現に用いられるプログラムが格納されるプログラム記録媒体であって、
フォルダあるいはファイルに対する処理要求があるときに、ユーザ情報を入手してアクセス権のチェックを行ってから、該処理要求のためのインタフェース処理を実行する第１のインタフェース処理と、
フォルダあるいはファイルに対する処理要求があるときに、ユーザ情報を入手することなく、該処理要求のためのインタフェース処理を実行する第２のインタフェース処理と、
画面操作のためのタグ付き言語で記述されて、上記処理要求に必要となる情報の表示に用いられる表示制御ファイルを処理対象として、上記処理要求先に対してアクセス制限が設定されるときに、上記第１のインタフェース処理を呼び出すことになるようにと該表示制御ファイルを書き替えるとともに、該アクセス制限の設定が解除されるときに、上記第２のインタフェース処理を呼び出すことになるようにと該表示制御ファイルを書き替える書替処理とをコンピュータに実行させるプログラムが格納されることを、
特徴とするプログラム記録媒体。
【発明の詳細な説明】
【０００１】
【発明の属する技術分野】
本発明は、ファイルを管理して、複数のユーザに対して、それらのファイルを閲覧させたり操作させるファイル管理装置と、その装置の実現に用いられるプログラムが格納されるプログラム記録媒体とに関し、特に、ユーザが快適にファイルを閲覧したり操作できるようにするファイル管理装置と、その装置の実現に用いられるプログラム記録媒体とに関する。
【０００２】
Ｗebファイリングシステムでは、サーバ上に、ＷＷＷサービスとクライアントとの間のインタフェース処理を司るＣＧＩプログラム（コモン・ゲート・インタフェース・プログラム）を展開する構成を採って、このＣＧＩプログラムがユーザ認証を制御するとともに、そのユーザ認証で得たユーザ情報に従ってアクセス権のチェックを制御するように処理している。
【０００３】
ユーザ認証を行う場合には、ユーザに対して、ユーザ情報の入力を要求することから、ユーザにとって煩わしいものとなるので、ユーザ認証が必要ない場合には、この入力を省略することで、ユーザが快適にファイルを閲覧したり操作できるようにすることが好ましい。
【０００４】
【従来の技術】
ＷＷＷサービスがＣＧＩプログラムを実行する場合、ＣＧＩプログラムの実行（アクセス）制限の有無により、ユーザ認証を行うかどうかが判断される。
【０００５】
これから、サーバ上のファイルに対してアクセス制限がかけられる可能性のある場合には、実行制限の設定されているＣＧＩプログラムを用意して、このＣＧＩプログラムを使って、ユーザに対して、ユーザ名とパスワードとの入力を要求することでユーザ認証を行うとともに、その入力したユーザ情報に従って、ファイルに対するアクセス権を有しているのか否かのチェックを行うようにする構成を採っている。
【０００６】
【発明が解決しようとする課題】
しかしながら、このような従来技術に従っていると、ユーザが快適にファイルを閲覧したり操作できないという問題点がある。
【０００７】
すなわち、従来技術に従っていると、サーバ上のファイルに対してアクセス制限がかけられていない場合にも、実行制限の設定されているＣＧＩプログラムが用いられることになるので、ユーザは、ＣＧＩプログラムの要求に応じて、ユーザ名とパスワードとを入力しなけれはならず、余計な操作に煩わされて、快適にファイルを閲覧したり操作できないという問題点がある。
【０００８】
実行制限の設定されていないＣＧＩプログラムを用いれば、ユーザは、ユーザ名とパスワードとを入力することなく、アクセス制限のかけられていないファイルを閲覧したり操作できるようになるものの、この構成に従うと、ファイルに対してアクセス制限がかけられている場合には、ユーザ認証が行われないことで、アクセス権を持つユーザがファイルを閲覧したり操作できないという問題点がでてくることになる。
【０００９】
本発明はかかる事情に鑑みてなされたものであって、ファイルを管理して、複数のユーザに対して、それらのファイルを閲覧させたり操作させる構成を採るときにあって、ユーザが快適にファイルを閲覧したり操作できるようになる新たなファイル管理装置の提供と、その装置の実現に用いられる新たなプログラム記録媒体の提供とを目的とする。
【００１０】
【課題を解決するための手段】
この目的を達成するために、本発明のファイル管理装置では、フォルダあるいはファイルに対する処理要求があるときに、ユーザ情報を入手してアクセス権のチェックを行ってから、その処理要求のためのインタフェース処理を実行する第１のインタフェース手段と、フォルダあるいはファイルに対する処理要求があるときに、ユーザ情報を入手することなく、その処理要求のためのインタフェース処理を実行する第２のインタフェース手段と、画面操作のためのタグ付き言語で記述されて、フォルダあるいはファイルに対する処理要求に必要となる情報の表示に用いられる表示制御ファイルを処理対象として、処理要求先に対してアクセス制限が設定されるときに、第１のインタフェース手段を呼び出すことになるようにと表示制御ファイルを書き替えるとともに、処理要求先に対するアクセス制限の設定が解除されるときに、第２のインタフェース手段を呼び出すことになるようにと表示制御ファイルを書き替える書替手段とを備えるように構成する。
【００１１】
このように構成される本発明のファイル管理装置の持つ機能は具体的にはプログラムで実現されるものであり、このプログラムは、フロッピィディスクなどに格納されたり、サーバなどのディスクなどに格納され、それらから本発明のファイル管理装置にインストールされてメモリ上で動作することで、本発明を実現することになる。
【００１２】
本発明のファイル管理装置では、フォルダなどの処理要求先に対してアクセス制限が設定されると、書替手段は、第１のインタフェース手段を呼び出すことになるようにと表示制御ファイルを書き替える。一方、そのアクセス制限の設定が解除されると、書替手段は、第２のインタフェース手段を呼び出すことになるようにと表示制御ファイルを書き替える。
【００１３】
これから、クライアント装置に対して、表示制御ファイルを使って処理要求に必要となる情報を提示しているときに、ユーザによるクリック操作が行われると、処理要求先にアクセス制限が設定されているときには第１のインタフェース手段が呼び出され、これにより、ユーザはユーザ情報を入力することでアクセス権のチェックを受けることが可能になり、アクセス権を有するユーザのみがファイルを閲覧したり操作できるようになる。一方、処理要求先にアクセス制限が設定されていないときには、第２のインタフェース手段が呼び出され、これにより、ユーザはユーザ情報を入力することなく直ちにファイルを閲覧したり操作できるようになる。
【００１４】
このように、本発明によれば、ファイルを管理して、複数のユーザに対して、それらのファイルを閲覧させたり操作させる構成を採るときにあって、アクセス権のチェックが必要な場合にのみユーザ情報の入力を要求し、アクセス権のチェックが必要でない場合にはユーザ情報の入力を要求しないようにすることから、ユーザは不要にユーザ情報の入力を要求されることがなくなるので、快適にファイルを閲覧したり操作できるようになる。
【００１５】
【発明の実施の形態】
以下、サーバ・クライアントシステムに適用した実施の形態に従って本発明を詳細に説明する。
【００１６】
図１に、本発明を具備するサーバ１の一実施例を図示する。
【００１７】
この実施例に従うサーバ１は、ファイルを管理する構成を採って、ネットワーク３を介して接続される複数のクライアント２（ブラウザ２００を展開する）に対して、それらのファイルの内容を掲示するとともに、クライアント２からの要求に応じてそれらのファイルを操作（更新や削除など）する処理を行うものであって、ファイル管理機構１０と、アクセス権チェックＣＧＩプログラム２０と、アクセス権非チェックＣＧＩプログラム３０と、アクセス権設定用ＣＧＩプログラム４０と、オペレーティングシステム５０とを備える。
【００１８】
ここで、本発明を実現すべく用意される、アクセス権チェックＣＧＩプログラム２０やアクセス権非チェックＣＧＩプログラム３０やアクセス権設定用ＣＧＩプログラム４０は、計算機が読み取り可能な半導体メモリなどの適当な記録媒体に格納されることになる。
【００１９】
このファイル管理機構１０は、複数のフォルダ１１-i（ｉ＝１〜ｎ）を用意して、そこに、クライアント２への掲示対象となるファイル１２を格納する構成を採っている。更に、それぞれのフォルダ１１-iに対応付けて、フォルダに格納されるファイル１２の一覧とそれに対する操作メニューとを表示する画面データを記述するＨＴＭＬファイル１３-i（ｉ＝１〜ｎ）を備える構成を採っている。
【００２０】
アクセス権チェックＣＧＩプログラム２０は、ＨＴＭＬファイル１３-iから呼び出されて、フォルダ１１-iに設定されるアクセス権の制限を充足することを条件にして、ブラウザ２００の発行する処理要求のためのインタフェース処理を実行する。
【００２１】
アクセス権非チェックＣＧＩプログラム３０は、ＨＴＭＬファイル１３-iから呼び出されて、フォルダ１１-iに設定されるアクセス権の制限を考慮することなく、ブラウザ２００の発行する処理要求のためのインタフェース処理を実行する。
【００２２】
アクセス権設定用ＣＧＩプログラム４０は、各フォルダ１１-iに対して、どのユーザグループに対してはファイル１２の操作を許し、どのユーザグループに対してはファイル１２の操作を許さないというアクセス権の制限を設定したり、その設定したアクセス権の制限を解除する処理を行う。
【００２３】
ここで、あるフォルダ１１-iに対して、少なくとも１つのユーザグループに対してのアクセス権の制限が設定されたときには、そのフォルダ１１-iはアクセス制限が設定された状態に入ることを意味する。
【００２４】
オペレーティングシステム５０は、図２（ａ）に示すように、ユーザ情報（ユーザ名と、そのユーザのパスワードと、そのユーザの属するグループ名との対応関係の情報）を管理するとともに、図２（ｂ）に示すように、アクセス権設定用ＣＧＩプログラム４０により設定されるアクセス権の制限情報を管理する。
【００２５】
次に、ＨＴＭＬファイル１３-iの表示するディスプレイ画面について詳細に説明する。
【００２６】
クライアント２に展開されるブラウザ２００からの閲覧要求が発行されると、各フォルダ１１-iに対応付けて設けられるＨＴＭＬファイル１３-iに従って、クライアント２のディスプレイに、先ず最初に、図３に示すように、フォルダツリー（階層構造で構成されるフォルダ１１-iの名前一覧をツリー構造で記述したもの）が表示されることになる。
【００２７】
続いて、このフォルダツリーの中からフォルダ名が選択されると、そのＨＴＭＬファイル１３-iに従って、図４に示すように、そのフォルダ１１-iに格納されるファイル１２の名前の一覧と、「操作メニュー」ボタンと、「検索」ボタンとが表示されることになる。
【００２８】
続いて、このディスプレイ画面中に設けられる「操作メニュー」ボタンがクリックされると、そのＨＴＭＬファイル１３-iに従って、図５に示すように、そのフォルダ１１-iに格納されるファイル１２に対しての操作メニューが表示されることになる。
【００２９】
このようにして表示される操作メニューの中から操作項目がクリックされると、アクセス権チェックＣＧＩプログラム２０あるいはアクセス権非チェックＣＧＩプログラム３０が呼び出されて、そのクリッリされた操作の指定する処理に入る。
【００３０】
このとき、アクセス権チェックＣＧＩプログラム２０が呼び出されるのか、アクセス権非チェックＣＧＩプログラム３０が呼び出されるのかは、ＨＴＭＬファイル１３-iの記述に従う。
【００３１】
すなわち、操作メニューの中から操作項目がクリックされるときに呼び出されるＨＴＭＬファイル１３-iの記述として、図６（ａ）に示すように、アクセス権非チェックＣＧＩプログラム３０を格納するフォルダへのパスである
「/Scripts/Pragma/Filer/ShowFmCGI.exe 」
が記述されているときには、アクセス権非チェックＣＧＩプログラム３０が呼び出されることになる。
【００３２】
これに対して、操作メニューの中から操作項目がクリックされるときに呼び出されるＨＴＭＬファイル１３-iの記述として、図６（ｂ）に示すように、アクセス権チェックＣＧＩプログラム２０を格納するフォルダへのパスである
「/Scripts/Pragma/Filer/Secure/ShowFmCGI.exe」
が記述されているときには、アクセス権チェックＣＧＩプログラム２０が呼び出されることになる。
【００３３】
ここで、この記述に含まれる「Ｃommand.value」の値に従って、どの操作項目がクリックされたのかという情報がアクセス権チェックＣＧＩプログラム２０やアクセス権非チェックＣＧＩプログラム３０に通知される。
【００３４】
一方、図５に示すディスプレイ画面中の「フォルダのアクセス権設定」がクリックされるときには、アクセス権設定用ＣＧＩプログラム４０が呼び出されることになる。
【００３５】
このようにして起動されると、アクセス権設定用ＣＧＩプログラム４０は、図７の処理フローに示すように、先ず最初に、ステップ１で、クライアント２のディスプレイに、図８に示すような、そのフォルダ１１-iに関してのアクセス権の設定画面を表示する。
【００３６】
すなわち、どのユーザグループにはそのフォルダ１１-iに格納されるファイル１２の操作を許し、どのユーザグループにはそのフォルダ１１-iに格納されるファイル１２の操作を許さないというアクセス権の設定と、その設定の解除とに用いるアクセス権の設定画面を表示するのである。
【００３７】
続いて、ステップ２で、このアクセス権設定画面への入力データ値を取得することで、フォルダ１１-iに対するアクセス権の設定値を取得し、続くステップ３で、その取得した設定値に応じて、オペレーティングシステム５０に対してアクセス権の設定・解除を依頼する。
【００３８】
この依頼を受けて、オペレーティングシステム５０は、図２（ｂ）に示したアクセス権の制限情報を更新する処理を行う。
【００３９】
続いて、ステップ４で、ステップ３の処理の結果、アクセス制限無しのフォルダ１１-iからアクセス制限有りのフォルダ１１-i（少なくとも１つのユーザグループに対してのアクセス権の制限が設定されているフォルダ１１-i）へと変更されたのか否かを判断して、このように変更されたことを判断するときには、ステップ５に進んで、アクセス権チェックＣＧＩプログラム２０を呼び出すようにと、そのフォルダ１１-iに対応付けて用意されるＨＴＭＬファイル１３-iの記述を書き替えて、処理を終了する。
【００４０】
すなわち、ＨＴＭＬファイル１３-iに記述されるＣＧＩプログラムを格納するフォルダへのパスを、
「/Scripts/Pragma/Filer/ShowFmCGI.exe 」
という記述から、
「/Scripts/Pragma/Filer/Secure/ShowFmCGI.exe」
という記述に書き替えるのである。
【００４１】
一方、ステップ４で、アクセス制限無しのフォルダ１１-iからアクセス制限有りのフォルダ１１-iへと変更されたのではないことを判断するときには、ステップ６に進んで、アクセス制限有りのフォルダ１１-iからアクセス制限無しのフォルダ１１-iへと変更されたのか否かを判断して、このように変更されたことを判断するときには、ステップ７に進んで、アクセス権非チェックＣＧＩプログラム３０を呼び出すようにと、そのフォルダ１１-iに対応付けて用意されるＨＴＭＬファイル１３-iの記述を書き替えて、処理を終了する。
【００４２】
すなわち、ＨＴＭＬファイル１３-iに記述されるＣＧＩプログラムを格納するフォルダへのパスを、
「/Scripts/Pragma/Filer/Secure/ShowFmCGI.exe」
という記述から、
「/Scripts/Pragma/Filer/ShowFmCGI.exe 」
という記述に書き替えるのである。
【００４３】
一方、ステップ６で、アクセス制限有りのフォルダ１１-iからアクセス制限無しのフォルダ１１-iへと変更されたのではないことを判断するとき、すなわち、以前と同様のアクセス制限有りのままのフォルダ１１-iであるか、以前と同様のアクセス制限無しのままのフォルダ１１-iであることを判断するときには、ＨＴＭＬファイル１３-iを書き替えることなく、そのまま処理を終了する。
【００４４】
このようにして、アクセス権設定用ＣＧＩプログラム４０は、フォルダ１１-iに対してアクセス制限が設定されるときには、そのフォルダ１１-iに対応付けて用意されるＨＴＭＬファイル１３-iがアクセス権チェックＣＧＩプログラム２０を呼び出すようにと、そのＨＴＭＬファイル１３-iの記述を書き替えるとともに、フォルダ１１-iに対してのアクセス制限が解除されるときには、そのフォルダ１１-iに対応付けて用意されるＨＴＭＬファイル１３-iがアクセス権非チェックＣＧＩプログラム３０を呼び出すようにと、そのＨＴＭＬファイル１３-iの記述を書き替えるように処理するのである。
【００４５】
次に、図９の処理フローに従って、アクセス権チェックＣＧＩプログラム２０の実行する処理について説明するとともに、図１０の処理フローに従って、アクセス権非チェックＣＧＩプログラム３０の実行する処理について説明する。
【００４６】
アクセス権チェックＣＧＩプログラム２０は、図５に示した操作メニューの中から操作項目がクリックされることで、ＨＴＭＬファイル１３-iの記述に従って呼び出されると、図９の処理フローに示すように、先ず最初に、ステップ１で、その操作メニューを表示するフォルダ１１-iに対する初めての操作要求であるのか否かを判断する。
【００４７】
この判断処理により、そのフォルダ１１-iに対する初めての操作要求であることを判断するときには、ステップ２に進んで、クライアント２のディスプレイに、図１１に示すようなユーザ情報の入力画面を表示することで、ユーザ名とパスワードを入力する。
【００４８】
続いて、ステップ３で、その入力したユーザ名及びパスワードを指定して、オペレーティングシステム５０に対してユーザ認証依頼を発行する。
【００４９】
この依頼を受けて、オペレーティングシステム５０は、図２（ａ）に示したユーザ情報の管理データに従って、正規のユーザであるのか否かのユーザ認証を行って、その結果を返答してくる。
【００５０】
これから、続いて、ステップ４で、オペレーティングシステム５０から正規のユーザであるとの返事が返ってきたのか否かを判断して、正規のユーザでないとの返事が返ってきたことを判断するときには、ステップ５に進んで、ユーザ名とパスワードの再入力を要求することで、ユーザ名とパスワードを再入力してから、ステップ３に戻る。
【００５１】
一方、ステップ４で、オペレーティングシステム５０から正規のユーザであるとの返事が返ってきたことを判断するときには、ステップ６に進んで、入力したユーザ名を指定して、オペレーティングシステム５０に対してアクセス権のチェック依頼を発行する。
【００５２】
この依頼を受けて、オペレーティングシステム５０は、図２（ａ）に示したユーザ情報の管理データに従って、そのユーザ名の指すグループ名を特定し、そのグループ名を検索キーにして図２（ｂ）に示したアクセス権の制限情報の管理データを参照することで、アクセス権を有するユーザであるのか否かのアクセス権チェックを行って、その結果を返答してくる。
【００５３】
これから、続いて、ステップ７で、オペレーティングシステム５０からアクセス権を有するユーザであるとの返事が返ってきたのか否かを判断して、アクセス権を有さないユーザであるとの返事が返ってきたことを判断するときには、ステップ８に進んで、その旨のメッセージを表示して、処理を終了する。すなわち、図１２に示すようなメッセージを表示して、処理を終了するのである。
【００５４】
一方、ステップ７で、オペレーティングシステム５０からアクセス権を有するユーザであるとの返事が返ってきたことを判断するときには、ステップ９に進んで、要求のある操作画面を表示して、ユーザと対話することで、ファイル１２（フォルダ１１-i）に対する操作を行う。
【００５５】
例えば、図５に示した操作メニューの中から「テキスト登録」が選択されるときには、テキスト登録に用いる図１３に示すようなテキストの登録画面を表示して、ユーザと対話することで、フォルダ１１-iに対して新たなテキストを登録していくように処理する。
【００５６】
そして、ステップ１で、操作メニューを表示するフォルダ１１-iに対しての初めての操作要求ではないことを判断するとき、すなわち、既にアクセス権のチェックを行っていることを判断するときには、直ちにステップ９に進んで、要求のある操作画面を表示して、ユーザと対話することで、ファイル１２（フォルダ１１-i）に対する操作を行う。
【００５７】
このようにして、アクセス権チェックＣＧＩプログラム２０は、フォルダ１１-iに対してアクセス制限が設定されているときには、図５に示した操作メニューの中から操作項目がクリックされることで呼び出されると、ユーザに対してユーザ情報の入力を要求して、それに従って、オペレーティングシステム５０に依頼することでユーザ認証とアクセス権チェックを行い、その結果、アクセス権を有するユーザであることが確認されると、ユーザの要求するファイル１２やフォルダ１１-iに対しての操作を実行していくように処理するのである。
【００５８】
一方、アクセス権非チェックＣＧＩプログラム３０は、図５に示した操作メニューの中から操作項目がクリックされることで、ＨＴＭＬファイル１３-iの記述に従って呼び出されると、図１０の処理フローに示すように、直ちに、要求のある操作画面を表示して、ユーザと対話することで、ファイル１２（フォルダ１１-i）に対しての操作を行う。
【００５９】
例えば、図５に示した操作メニューの中から「テキスト登録」が選択されるときには、テキスト登録に用いる図１３に示すようなテキストの登録画面を表示して、ユーザと対話することで、フォルダ１１-iに対して新たなテキストを登録していくように処理する。
【００６０】
このようにして、アクセス権非チェックＣＧＩプログラム３０は、フォルダ１１-iに対してアクセス制限が設定されていないときには、図５に示した操作メニューの中から操作項目がクリックされることで呼び出されると、ユーザに対してユーザ情報の入力を要求することなく、直ちに、ユーザの要求するファイル１２やフォルダ１１-iに対しての操作を実行していくように処理するのである。
【００６１】
図示実施例に従って本発明を説明したが、本発明はこれに限定されるものではない。例えば、実施例では、ファイル１２やフォルダ１１-iの操作に対してアクセス制限を設定するということを具体例にして説明したが、本発明は、ファイル１２の閲覧などに対してアクセス制限を設定するという構成を採る場合にも、そのまま適用できる。
【００６２】
【発明の効果】
以上説明したように、本発明によれば、ファイルを管理して、複数のユーザに対して、それらのファイルを閲覧させたり操作させる構成を採るときにあって、アクセス権のチェックが必要な場合のみユーザ情報の入力を要求し、アクセス権のチェックが必要でない場合にはユーザ情報の入力を要求しないようにすることから、ユーザは不要にユーザ名やパスワードの入力を要求されることがなくなるので、快適にファイルを閲覧したり操作できるようになる。
【図面の簡単な説明】
【図１】本発明の一実施例である。
【図２】ＯＳの管理するユーザ情報／アクセス権情報の説明図である。
【図３】ディスプレイ画面の説明図である。
【図４】ディスプレイ画面の説明図である。
【図５】ディスプレイ画面の説明図である。
【図６】ＨＴＭＬファイルの説明図である。
【図７】アクセス権設定用ＣＧＩプログラムの処理フローである。
【図８】ディスプレイ画面の説明図である。
【図９】アクセス権チェックＣＧＩプログラムの処理フローである。
【図１０】アクセス権非チェックＣＧＩプログラムの処理フローである。
【図１１】ディスプレイ画面の説明図である。
【図１２】ディスプレイ画面の説明図である。
【図１３】ディスプレイ画面の説明図である。
【符号の説明】
１      サーバ
２      クライアント
３      ネットワーク
１０    ファイル管理機構
１１    フォルダ
１２    ファイル
１３    ＨＴＭＬファイル
２０    アクセス権チェックＣＧＩプログラム
３０    アクセス権非チェックＣＧＩプログラム
４０    アクセス権設定用ＣＧＩプログラム
５０    オペレーティングシステム
２００  ブラウザ
【図１】
0003782270.tif 000002
【図２】
0003782270.tif 000003
【図３】
0003782270.tif 000004
【図４】
0003782270.tif 000005
【図５】
0003782270.tif 000006
【図６】
0003782270.tif 000007
【図７】
0003782270.tif 000008
【図８】
0003782270.tif 000009
【図９】
0003782270.tif 000010
【図１０】
0003782270.tif 000011
【図１１】
0003782270.tif 000012
【図１２】
0003782270.tif 000013
【図１３】
0003782270.tif 000014